(57)【要約】【課題】通常の携帯ＴＶ電話端末を用いて、簡単に構成できると共に、携帯電話端末の節電も考慮した携帯ＴＶ電話端末を用いた遠隔情報取得システムを提供する。【解決手段】携帯電話端末のＴＶ電話機能を利用した遠隔情報取得システムにおいて、定点に設置されその現地映像情報をアクセスに応じてリアルタイムに送出する情報提供用ＴＶ電話端末２０と、この情報提供用携帯ＴＶ電話端末２０にアクセスしその映像情報を取得する第１の携帯ＴＶ電話端末１０とを備えることを特徴とする。【選択図】  図１
2005210421.tif 000002
【特許請求の範囲】
【請求項１】
携帯電話端末のＴＶ電話機能を利用した遠隔情報取得システムにおいて、定点に設置されその現地映像情報をアクセスに応じてリアルタイムに送出する情報提供用ＴＶ電話端末と、この情報提供用携帯ＴＶ電話端末にアクセスしその映像情報を取得する第１の携帯ＴＶ電話端末とを備えることを特徴とする携帯ＴＶ電話端末を用いた遠隔情報取得システム。
【請求項２】
情報提供用携帯ＴＶ電話端末は、第１の携帯ＴＶ電話端末からの接続要求を受信しその回線が接続されたとき、この第１の携帯ＴＶ電話端末からの映像の受信は行わず、この第１の携帯ＴＶ電話端末への映像の送信のみを行うモードに設定する制御手段を有する請求項１記載の携帯ＴＶ電話端末を用いた遠隔情報取得システム。
【請求項３】
第１の携帯ＴＶ電話端末は、情報提供用携帯ＴＶ電話端末への接続要求を送信しその回線が接続されたとき、この情報提供用携帯ＴＶ電話端末への映像の送信は行わず、この情報提供用携帯ＴＶ電話端末からの映像の受信のみを行うモードに切替わるモード設定手段を有する請求項１記載の携帯ＴＶ電話端末を用いた遠隔情報取得システム。
【請求項４】
携帯電話基地局は、情報提供用携帯ＴＶ電話端末が、複数のユーザからのアクセスを可能とする制御手段を有する請求項１、２または３記載の遠隔情報取得システム。
【請求項５】
携帯電話端末のＴＶ電話機能を利用した第１の携帯ＴＶ電話端末からの接続要求を受信しその回線が接続されたとき、この第１の携帯ＴＶ電話端末からの映像の受信は行わず、この第１の携帯ＴＶ電話端末への映像の送信のみを行うよう設定する制御手段を有することを特徴とする情報提供用携帯ＴＶ電話端末。
【請求項６】
携帯電話端末のＴＶ電話機能を利用した情報提供用携帯ＴＶ電話端末への接続要求を送信しその回線が接続されたとき、この情報提供用携帯ＴＶ電話端末への映像の送信は行わず、この情報提供用携帯ＴＶ電話端末からの映像の受信のみを行うモードに切替わるモード設定手段を有することを特徴とする携帯ＴＶ電話端末。
【請求項７】
携帯電話端末のＴＶ電話機能を利用した遠隔情報取得方法において、定点に設置された情報提供用携帯ＴＶ電話端末は、第１の携帯ＴＶ電話端末からのアクセスに応じてリアルタイムに現地映像情報をこの第１の携帯ＴＶ電話端末に送出し、この第１の携帯ＴＶ電話端末は、前記情報提供用携帯ＴＶ電話端末にアクセスしてその映像情報を取得することを特徴とする携帯ＴＶ電話端末を用いた遠隔情報取得方法。
【請求項８】
情報提供用携帯ＴＶ電話端末は、第１の携帯ＴＶ電話端末からの接続要求を受信しその回線が接続されたとき、この第１の携帯ＴＶ電話端末からの映像の受信は行わず、この第１の携帯ＴＶ電話端末への映像の送信のみを行うようにして現地映像情報を送出する請求項７記載の携帯ＴＶ電話端末を用いた遠隔情報取得方法。
【請求項９】
第１の携帯ＴＶ電話端末は、情報提供用携帯ＴＶ電話端末への接続要求を送信しその回線が接続されたとき、この情報提供用携帯ＴＶ電話端末への映像の送信は行わず、この情報提供用携帯ＴＶ電話端末からの映像の受信のみを行うモードに切り替わるようにする請求項７記載の携帯ＴＶ電話端末を用いた遠隔情報取得方法。
【発明の詳細な説明】
【技術分野】
【０００１】
本発明は、携帯ＴＶ電話端末を用いた遠隔情報取得システムおよびその遠隔情報取得方法に関し、特に簡単で効率的なシステムとした遠隔情報取得システムおよびその遠隔情報取得方法に関する。
【背景技術】
【０００２】
レストランや居酒屋に飲食に行こうとしたが、どの店も一杯で長時間待たされたり、休日に遊園地に出かけたが、とても混雑していた為に疲れたことがある。そのため実際に現場に行く前にリアルタイムな情報が取得できた場合には、このような状況が回避できると思われる。このような問題を簡単に解決できるように、携帯電話端末のＴＶ電話機能を利用したシステムを考えた。
【０００３】
図５は従来例によるＴＶ電話機能を利用した画像情報配信システムのブロック図である。この画像情報配信システムでは、動画像情報と音声情報とを同時に配信する。この画像情報配信システムは、無線送受信基地局３０ｂと、サーバコンピュータ５０とが公衆回線網（インターネット）８０に接続されて構成される。無線送受信基地局３０ｂは、携帯電話端末４１〜４３との間でデータの無線送受信を行う。ここで携帯電話端末４１，４２はビデオカメラ機能付きであり、携帯電話端末４３は動画像表示ディスプレイ付きである。また、公衆回線網８０には、複数のパーソナルコンピュータ（ＰＣ）６０，６０ａ…やクレジットカード会社のコンピュータ７０にも接続可能となっている。
【０００４】
サーバコンピュータ５０は、主制御部と、出力制御部と、入力制御部と、第１、第２の記憶装置とから構成される。主制御部は、ＣＰＵおよびメモリ等からなり、各部の制御や、データの転送、種々の演算、データの一時的な格納等を行う。入力制御部、出力制御部は、携帯電話端末４１〜４３…およびパーソナルコンピュータ６０，６０ａ…に入力また出力するデータを制御する。また、第１の記憶装置および第２の記憶装置は、それぞれハードディスク等の記憶装置からなる。第１の記憶装置にはメインプログラムが記憶され、第２の記憶装置には個人情報データベースが記憶されている。
【０００５】
メインプログラムとしては、受信プログラム、送信プログラム、表示プログラム、登録プログラム等がある。受信プログラムは、携帯電話端末４１、４２から入力・送信された動画像・音声情報のデータを受信し、送信プログラムは、受信した動画像・音声情報のデータを、携帯電話端末４３…およびパーソナルコンピュータ３１，３２…に送信する。表示プログラムは、複数の動画像・音声情報をチャンネル化し、動画像・音声情報のチャンネル画面を各情報通信端末に表示させる。また、個人情報データベースには、携帯電話端末４１，４２，４３…のＩＤ、受信登録者のＩＤ番号、パスワード、登録ジャンル、クレジットカードの情報等が蓄積されている。
【０００６】
なお、携帯電話端末４１，４２は、撮影した動画像をＭＰＥＧ４等の規格の圧縮動画像情報に変換して送信し、取得した音声をＰＣＭ方式等によりデジタル・データ化して送信する機能を有する。また、携帯電話端末４３…は、受信したＭＰＥＧ４等の規格の圧縮動画像情報を動画像としてディスプレイに表示し、ＰＣＭ音源をスピーカから再生する機能を有する。
【０００７】
この画像情報配信システムの処理動作としては、携帯電話端末またはパーソナルコンピュータからのジャンル登録や、動画像・音声情報の配信がある。携帯電話端末からのジャンル登録は、まず携帯電話端末４１〜４３…から、基地局３０ｂおよび公衆回線網８０を介してサーバコンピュータ５０に登録要求がある。すると、サーバコンピュータ５０の主制御部は、情報配信の登録を希望するか情報受信の登録を希望するかを問う登録画面を出力し、携帯電話端末４１〜４３…のディスプレイにその登録画面を表示させている（例えば、特許文献１参照）。
【０００８】
【特許文献１】特開２００２−７７８６０号
【発明の開示】
【発明が解決しようとする課題】
【０００９】
しかし、この従来技術の画像情報配信システムは、各種の処理が自在に出来るが、特定のサーバコンピュータ５０を含む汎用のシステムを構成する必要がある。そのため、簡単にシステムを構成出来ないし、その処理も容易ではない。また、携帯電話端末もその役割が予め決められており、汎用性がないという問題がある。また、通常の携帯電話端末の節電も、考慮されていない。
【００１０】
本発明の目的は、通常の携帯ＴＶ電話端末を用いて、簡単に構成できると共に、携帯電話端末の節電も考慮した携帯ＴＶ電話端末を用いた遠隔情報取得システムおよびその遠隔情報取得方法を提供することにある。
【課題を解決するための手段】
【００１１】
本発明の構成は、携帯電話端末のＴＶ電話機能を利用した遠隔情報取得システムにおいて、定点に設置されその現地映像情報をアクセスに応じてリアルタイムに送出する情報提供用携帯ＴＶ電話端末と、この情報提供用携帯ＴＶ電話端末にアクセスしその映像情報を取得する第１の携帯ＴＶ電話端末とを備えることを特徴とする。
【００１２】
本発明において、情報提供用携帯ＴＶ電話端末は、第１の携帯ＴＶ電話端末からの接続要求を受信しその回線が接続されたとき、この第１の携帯ＴＶ電話端末からの映像の受信は行わず、この第１の携帯ＴＶ電話端末への映像の送信のみを行うモードに設定する制御手段を有することができ、また、第１の携帯ＴＶ電話端末は、情報提供用携帯ＴＶ電話端末への接続要求を送信しその回線が接続されたとき、この情報提供用携帯ＴＶ電話端末への映像の送信は行わず、この情報提供用携帯ＴＶ電話端末からの映像の受信のみを行うモード切替わるモード設定手段を有することができる。
【００１３】
さらに、本発明において携帯電話基地局は、情報提供用携帯ＴＶ電話端末が、複数のユーザからのアクセスを可能とする制御手段を有することができる。
【００１４】
本発明の他の構成は、携帯電話端末のＴＶ電話機能を利用した遠隔情報取得方法において、定点に設置された情報提供用携帯ＴＶ電話端末は、第１の携帯ＴＶ電話端末からのアクセスに応じてリアルタイムにその現地映像情報をこの第１の携帯ＴＶ電話端末に送出し、この第１の携帯ＴＶ電話端末は、前記情報提供用携帯ＴＶ電話端末にアクセスしてその映像情報を取得することを特徴とする。
【００１５】
本発明において、  第１の携帯ＴＶ電話端末は、第２の携帯ＴＶ電話端末からの接続要求を受信しその回線が接続されたとき、上り映像の受信は行わず、下り映像の送信のみを行うモードに設定して現地映像情報を送出することができ、また、第２の携帯ＴＶ電話端末は、第１の携帯ＴＶ電話端末への接続要求を送信しその回線が接続されたとき、上り映像の送信は行わず、下り映像の受信のみを行うモードに切り替わるようにすることができる。
【発明の効果】
【００１６】
以上説明したように、本発明によれば、簡単なシステム構成で定点の現地映像情報をリアルタイムに取得することが可能となるという効果がある。現在、ＴＶ電話機能をもつ携帯電話端末が普及してきているが、「人と人」を結ぶ手段としての利用が主である。本発明では、このＴＶ電話機能つき携帯電話端末を「人と物」「人と場所」を結ぶ手段として利用するので、現地のリアルタイムな情報を、携帯ＴＶ電話端末より現地に行かなくとも取得することが可能できる。さらに、システムの運用を低消費電力で利用できるという効果がある。
【発明を実施するための最良の形態】
【００１７】
次に図面により本発明の実施形態を説明する。図１は本発明の一実施形態の携帯ＴＶ電話端末を用いた遠隔情報取得システムのブロック図である。本実施形態は、携帯電話端末のＴＶ電話機能を利用し、現地情報を取得する側の端末を端末Ａ１０とする。一方、現地情報を提供する側の端末を端末Ｂ２０とする。すなわち、図１に示すように、本実施形態は、通常の携帯ＴＶ電話端末１０，２０と、その基地局３０とから構成される。
【００１８】
この場合、携帯ＴＶ電話端末Ａ１０は、モード切替により、情報提供用携帯ＴＶ電話端末Ｂ２０にアクセスしその映像情報を取得する。また、携帯ＴＶ電話端末Ｂ２０は、モード切替により、アクセスに応じてリアルタイムに公共施設またはレジャー施設などの定点に設置されその現地映像情報を送出する。この際、基地局３０は通常の交換、切替え動作をする。
【００１９】
端末Ａ１０のユーザーには、これから行こうとするレジャー施設の選択肢が複数あるとする。その際、端末Ａ１０から各レジャー施設に設置された端末Ｂ２０にＴＶ電話機能の接続要求を発信する。この時、各レジャー施設に設置されている端末Ｂへのアクセス番号は、雑誌やｗｅｂサイト等から取得するものとする。これら端末Ａ１０と端末Ｂ２０のＴＶ電話機能が接続状態になることにより、端末Ａ１０のユーザーは端末Ｂ２０が設置されている現地のリアルタイム情報  天候  混雑度等を取得することが可能となる。
【００２０】
また、端末Ｂ２０の設置数・設置場所を工夫することにより、端末Ａ１０のユーザーが現地に行くことなく、現地から多くのリアルタイムな情報が取得可能となる。このような情報を、複数のレジャー施設から取得し比較することにより、選択肢の中からベストな選択を可能とする。
【実施例１】
【００２１】
図１において、端末Ａ１０は、モード１０とモード２０とが切替えられる。ここではモード２０の場合の構成を示す。端末Ａ１０は、表示部１１と、制御部１２と、モード設定部１３と、データ送受信部１４とから構成される。端末Ｂ２０は、カメラ部２１と、制御部２２と、モード設定部２３と、データ送受信部２４とから構成される。基地局３０は、通常の交換、切替え動作を行う制御部３１を含んでいる。
【００２２】
また、データ送受信部１４には、音声データ受信部１４１，音声データ送信部１４２，映像データ受信部１４３，映像データ送信部１４４があり、データ送受信部２４には、音声データ受信部２４１，音声データ送信部２４２，映像データ受信部２４３，映像データ送信部２４４がある。
【００２３】
次に、本実施例の動作の説明をする。発信側端末を端末Ａ１０、着信側端末を端末Ｂ２０とし、端末Ａ１０から端末Ｂ２０への通信を上り通信、端末Ｂ２０から端末Ａ１０への通信を下り通信とする。これら携帯電話端末の内部には、電話機能のモードが、あらかじめ設定されているものとする。ここでは、モード１０が、双方向にＴＶ電話を行う通常の端末モード、モード２０が、特定の物・場所に設置されている情報提供用の端末モードであるとする。
【００２４】
図２は本実施例の携帯電話端末Ａ１０の動作を説明するフロー図である。まず、通常端末Ａ１０は、情報提供用端末Ｂ２０にＴＶ電話機能の接続要求を発信する（ステップＳ１）。ここで発信先端末２０への接続に成功したら（ステップＳ２）、制御部１２は接続先端末のＴＶ電話機能のモードを確認する（ステップＳ３）。接続先端末のＴＶ電話機能のモードが「モード１０の通常端末」の場合は、モード設定部１３により通常のＴＶ電話通話状態とする。すなわち，映像データ受信部１４３，映像データ送信部１４４および映像データ受信部２４３，映像データ送信部２４４を動作させる。従って、上り映像送信および下り映像受信を自動的にオンとなり（ステップＳ４）、そして上下とも映像のあるＴＶ電話機能のモード１０が起動される（ステップＳ５）。そして切断要求があるまで（ステップＳ６）、ＴＶ電話機能のモードが起動される。
【００２５】
また、接続先端末のＴＶ電話機能のモードが「モード２０の情報提供用端末」の場合は、モード設定部１３により、接続要求を発信した側の端末１０のＴＶ電話機能の、上り映像を自動的にオフとする（ステップＳ７）。すなわち、図１のように、音声データ送信部１４２、映像データ送信部１４４がオフとなり、音声データ受信部１４１，映像データ受信部１４３がオンとなる。従って、下り映像のみのＴＶ電話通話状態となる（ステップＳ８）。そして切断要求があるまで（ステップＳ９）、ＴＶ電話機能のモードが起動される。以後、切断要求がある（ステップＳ６，Ｓ９）と、端末１０，２０は共にその接続が切断され（ステップＳ１０）、アイドル状態となる。
【００２６】
図３は本実施例の携帯電話端末Ｂ２０の動作を説明するフロー図である。携帯電話端末Ｂ２０の場合は、定点に設置されて現地映像情報を専用に送出するモード２０のみとなる。まず、情報提供用端末Ｂ２０は、通常端末Ａ１０からのＴＶ電話機能の接続要求が着信する（ステップＳ１１）。ここで情報提供用端末Ｂ２０は、発信先端末Ａ１０へ接続されると（ステップＳ１２）、モード設定部２３はＴＶ電話機能のモード２０となっている。
【００２７】
制御部２２，モード設定部２３は、接続要求を発信した側の端末１０のＴＶ電話機能の、上り映像を自動的にオフとし、下り映像のみのＴＶ電話通話状態とする（ステップＳ１３）。すなわち、図１のように、音声データ送信部１４２、映像データ送信部１４４がオフとなり、音声データ受信部１４１，映像データ受信部１４３がオンとなる。従って、下り映像のみのＴＶ電話通話状態となる（ステップＳ１４）。そして制御部２２は、切断要求があるまで（ステップＳ１５）、ＴＶ電話機能のモードを起動する。以後、切断要求がある（ステップＳ１５）と、端末１０，２０は共にその接続が切断され（ステップＳ１６）、アイドル状態となる。
【００２８】
本実施例の構成により、簡単なシステム構成で定点の現地映像情報をリアルタイムに取得することが可能となる。また、携帯電話端末は、通常のＴＶ電話通話状態に対して情報提供用端末からの映像情報を受信するだけであるから、そ消費電力が少なくなることは明らかである。
【実施例２】
【００２９】
図４は本発明の第２の実施例の遠隔情報取得システムのブロック図である。本実施例は、情報提供用端末Ｂ２０を複数ユーザーの端末Ａ１０ａ〜１０ｅからの着信が可能となるようにした場合を示している。この場合は、基地局３０ａの制御部３１ａが、ＴＶ会議電話のアクセス制御と同様に、複数ユーザーからのアクセスを受け付ける制御を行う構成となっていればよい。情報提供用端末Ｂ２０は、複数ユーザーの端末Ａ１０ａ〜１０ｅからの情報要求にがあった場合にも、同時に複数ユーザーへの映像や情報提供をする。
【産業上の利用可能性】
【００３０】
本発明は、携帯ＴＶ電話端末を用いた遠隔情報取得システム、その遠隔情報取得方法の全体、携帯ＴＶ電話端末および情報提供用携帯ＴＶ電話端末の単体にそれぞれ適用することができる。
【図面の簡単な説明】
【００３１】
【図１】本発明の第１の実施形態の携帯ＴＶ電話端末を用いた遠隔情報取得システムを説明するのブロック図である。
【図２】図１の携帯ＴＶ電話端末Ａの処理を説明するフロー図である。
【図３】図１の携帯ＴＶ電話端末Ｂの処理を説明するフロー図である。
【図４】本発明の第２の実施形態の遠隔情報取得システムを説明するのブロック図である。
【図５】従来例の電話端末を用いた遠隔情報取得システムのブロック図である。
【符号の説明】
【００３２】
１０    端末Ａ
１１    表示部
１２，２２，３１，３１ａ    制御部
１３，２３    モード設定部
１４，２４    送受信部
２０    端末Ｂ
２１    カメラ部
３０，３０ａ，３０ｂ    基地局
４０    端末
５０    サーバコンピュータ
６０、６０ａ    ＰＣ
７０    カード会社コンピュータ
８０    インターネット
【図１】
2005210421.tif 000003
【図２】
2005210421.tif 000004
【図３】
2005210421.tif 000005
【図４】
2005210421.tif 000006
【図５】
2005210421.tif 000007